(57)【要約】【課題】  キーボードのキーに割り付けた役割をキーステッカー（キーシート）として作成する際の不便を解消する。【解決手段】  商品販売データ処理装置に既に搭載されているレシートプリンタ及びレシート用紙からなるレシート発行機能を利用してキーの役割を印字する構成とすることで、別途キーステッカーを印字するためのプリンタを設ける必要はなく、また、レシート用紙にキーの役割とともにキーのサイズに合った枠が印字されることから、キーステッカーの作成の負担が軽減される。【選択図】    図７
2006127187.tif 000002
【特許請求の範囲】
【請求項１】
入力された商品情報に基づいてレシートプリンタによるレシート発行処理を含む商品売上処理を行う商品販売データ処理装置において、
データ入力機能を有する複数個のキーの集合によって形成されたキーボードと、
前記キーに対して着脱自在で前記キーのキートップとの間で当該キーの役割を示す名称が記録されたキーシートを挟持するキーカバーと、
前記キーに所定の役割を割り付ける手段と、
前記キーに割り付けられた所定の役割を保持しておく記憶手段と、
前記レシートプリンタを駆動制御し、レシート用紙に前記記憶手段に記憶された前記キーの役割を示す名称を前記キーシート作成用の枠と共に印字する印字手段と、
を備えることを特徴とする商品販売データ処理装置。
【請求項２】
前記印字手段は、前記役割を割り付けられたキーの一つ一つについて個別にその役割をレシート用紙に印字することを特徴とする商品販売データ処理装置。
【請求項３】
前記印字手段は、前記役割を割り付けられたキーの全てについてその役割をレシート用紙に印字することを特徴とする商品販売データ処理装置。
【請求項４】
前記印字手段は、前記役割を割り付けられたキーの大きさに基づいてその役割をレシート用紙に印字することを特徴とする商品販売データ処理装置。
【発明の詳細な説明】
【技術分野】
【０００１】
本発明は、ＥＣＲ（Electronic Cash Register：電子式キャッシュレジスター）やＰＯＳ（Point of Sales：販売時点管理）端末などの商品販売データ処理装置に関する。
【背景技術】
【０００２】
従来より、店舗等で使用されるＥＣＲやＰＯＳ端末などの商品販売データ処理装置においては、ＥＣＲ等の使用者（以下、操作者という。）が商品情報を入力するために使用する複数個のキーによって形成されたキーボードが設けられている。このキーボードに配置されたキーは、置数キーとしての役割を有するキーの他に、例えば、矢印等の機能を表示するキーや各商品の部門或いは商品の名称と対応させた部門キー等があり、各々１又は２以上の役割が割り付けられている。（以下、役割という場合には、機能上の役割の他、名称等も含む。）
但し、この場合、キーボードには多数のキーが設けられているので、いずれのキーがどのような役割を有しているかを区別するための表示が必要となる。
【０００３】
この役割を区別するための表示方法は、キーの構造とも関係するが、キーにキーを覆うカバーが付かない構造の場合は操作者の指が触れる面であるキーの上面（キートップ）に直接印字等する方法で表示される。一方、キーカバーがキーに付く構造の場合には、通常はキーとキーカバーの間に例えば紙等でそのキーに対して割り付けられている役割が表示されるようになっている。
【０００４】
このキーカバーとキーの間にあってそのキーの役割を表示する紙等を、例えばキーシート、或いはキーステッカーと言う（以下では適宜両方の呼び方を使用する）。当該キーシートはそのキーに割り当てる機能や商品名称が変更になる度に新たなものに作り変える必要があり、その方法として特許文献１に記載されている方法が提案されている。
【０００５】
【特許文献１】特開２０００−２０２２３公報
【発明の開示】
【発明が解決しようとする課題】
【０００６】
しかし、特許文献１で提案されている発明の場合、キーシートにはキーボードに設けられている全てのキーの役割が１枚のシート上に印刷される。そのため、例えば少数のキーの役割を変更する度に、たとえその変更が一つのキーに関するものだけの場合であっても、変更を伴わないキーを含む全てのキーについてのキーシートを新たに印刷する必要がある。このキーシートは全てのキーの役割を表示するものであり大きいので、キーシートを印刷するための専用プリンタを別途設けることになり、ＥＣＲ自体も大きくなってしまう。
【０００７】
また、上記特許文献１記載のＥＣＲのＲＡＭ（Random Access Memory）には、キーシートの外形、操作領域を含むキーシートのフォーマットデータを格納するフォーマットメモリが特別に設けられており、ＲＡＭの作業領域が狭められてしまう。
【０００８】
さらに、特許文献１で提案されているＥＣＲを使用しない場合、手作業でキーステッカーを変更することになるが、キーのサイズに合わせたキーステッカーを作成する必要があり、キーのサイズを測り、正しい役割をキーの大きさに合わせた枠内に記入作成する煩わしさがあった。
【課題を解決するための手段】
【０００９】
請求項１に記載の発明は、入力された商品情報に基づいてレシートプリンタによるレシート発行処理を含む商品売上処理を行う商品販売データ処理装置において、データ入力機能を有する複数個のキーの集合によって形成されたキーボードと、前記キーに対して着脱自在で前記キーのキートップとの間で当該キーの役割を示す名称が記録されたキーシートを挟持するキーカバーと、前記キーに所定の役割を割り付ける手段と、前記キーに割り付けられた所定の役割を保持しておく記憶手段と、前記レシートプリンタを駆動制御し、レシート用紙に前記記憶手段に記憶された前記キーの役割を示す名称を前記キーシート作成用の枠と共に印字する印字手段とを備える。
【発明の効果】
【００１０】
本発明における商品販売データ処理装置によれば、既に搭載されているレシートプリンタ及びレシート用紙からなるレシート発行機能を利用してキーの役割を印字する構成としたことから、別途キーステッカーを印字するためのプリンタを設ける必要はなく、また、レシート用紙にキーの役割とともにキーのサイズに合った枠が印字されることから、キーステッカーの作成の負担が軽減される。
【発明を実施するための最良の形態】
【００１１】
本発明の実施形態を、図１ないし図８に基づいて説明する。本実施の形態は、商品販売データ処理装置としての、例えばＥＣＲへの適用例である。
【００１２】
図１は、本発明の実施形態のＥＣＲ１を含む商品販売データ処理システム全体を示した概略斜視図である。ＥＣＲ１は、ハウジング２を備え、ハウジング２内に各部を収納し、一方でハウジング２の外部に各部を露出させている。ハウジング２の上面には、キーボード３、操作者用表示器４、客用表示器５、レシート発行口６、及び客から預かった札を一時的に置いておくための札置き台７が配置されている。そして、操作者から見て操作者用表示器４が正面に、キーボード３はその下方に、レシート発行口６及び札置き台７はその左方にそれぞれ配置され、操作者が商品情報等を入力しやすいようにまとめられている。また、客用表示器５は、操作者用表示器４よりも高い位置に設けられ、客に見やすいように配置されている。ハウジング２の内部には、レシートを印字するためのレシートプリンタ６ａ（図２参照）が設けられている。
【００１３】
ＥＣＲ１は、顧客から受領した金銭や小切手等の有価証券を保管しておくための装置であるドロワ装置２０の上に載置されている。当該ドロワ装置２０の内部には、引出し２１が設けられており、締め処理時には手前に引き出され、その中に顧客から受領した金銭等を収納する。ＥＣＲ１には、商品コード等を光学的に読み取るコードスキャナ３０が接続されている。
【００１４】
図２は、二連キー３ｂの分解斜視図である。キーボード３には多数のキーが配置されており、その大きさにより一連キー３ａと二連キー３ｂとに分けることができるが、ここでは二連キー３ｂを例にキーの構造を説明する。
【００１５】
二連キー３ｂは、キー本体３ｂ−１、キーステッカー（キーシート）３ｂ−２、キーカバー３ｂ−３から構成されている。キーステッカー３ｂ−２は例えば紙で作られており、そのキーに割り付けられている役割を表示する。キーカバー３ｂ−３は、キーステッカー３ｂ−２が見えるように、例えばプラスチック等の可透性のある樹脂等で形成されている。
【００１６】
キーステッカー３ｂ−２は、キー本体３ｂ−１の上面（キートップ）に載置されて、その上からキーカバー３ｂ−３でキー本体３ｂ−１を含め覆われる。つまり、キーステッカー３ｂ−２がキー本体３ｂ−１とキーカバー３ｂ−３に挟まれることになる。キーカバー３ｂ−３は各側面の底辺に爪３ｂ−４を有しており、その爪がキー本体３ｂ−１の各側面の底辺に引っかかる形でキー本体３ｂ−１に固定される。
【００１７】
図３は、ＥＣＲ１に備えられる各部の電気的接続を示すブロック図である。図３に示すように、ＥＣＲ１は、各種演算や各部の制御を実行するＣＰＵ（Central Processing Unit）１１ａ、コンピュータプログラム等を格納するＲＯＭ(Read On Memory)１１ｂ及び各種データを書き換え自在に格納するＲＡＭ（Random Access Memory）１１ｃ等で構成される制御部１１を備えている。ＲＡＭ１１ｃは、可変的なデータを書き換え自在に格納する機能を利用して、各種ワークエリアとしての機能を果たす。
【００１８】
また、ＲＡＭ１１ｃには、キーの割付メモリ１１ｄが設けられている。この割付メモリ１１ｄには、各キーに割り付けられている役割についての情報や、キーのサイズに関する情報が記憶されている。また、例えば、従来与えられていた役割とは異なる役割を当該キーに付与する場合には、新たに付与された役割に関する情報を記憶する。
【００１９】
制御部１１には、バスライン１２を介して、前述したキーボード３、操作者用表示器４、客用表示器５、プリンタ６ａ、図示しないホストコンピュータなどの外部電子機器との間でデータ通信を実行する通信インターフェイス１３、ドロワ装置２０、コードスキャナ３０等が接続されている。また、制御部１１を動作させる制御プログラムや商品マスタファイル等が格納されているＨＤＤ（Hard Disc Drive）１４もバスライン１２を介して、制御部１１に接続されている。
【００２０】
図４は、ＥＣＲ１の制御部１１が実行する商品販売データ処理を概略的に示すフローチャートである。この図４に基づいて商品販売データ処理について簡単に説明する。
【００２１】
商品販売データ処理は、まず、キーボード３やコードスキャナ３０等の入力手段からの商品コードや販売個数等の商品情報の入力に待機する（Ｓ１）。入力手段からの商品情報の入力があったと判断されると（Ｓ１のＹ）、商品販売データ処理が実行される。この商品販売データ処理では、入力された商品コードに基づいて、ＲＡＭ１１ｃにある商品マスタファイルを検索し（Ｓ２）、この検索により得られた、商品名、単価や部門コード等からなる売上データがＲＡＭ１１ｃのワークエリアに記憶される（Ｓ３）。ＲＡＭ１１ｃのワークエリアに記憶された単価等の取引情報は、操作者用表示器４及び客用表示器５に表示される（Ｓ４）。
【００２２】
ステップＳ１からステップＳ４の処理は、キーボード３の例えば、預／現計キーが押下されて、締めが宣言されたと判断されるまで（Ｓ５のＹ）、繰り返される。そして、例えば預／現計キーが押されて、締めが宣言されたと判断されると（Ｓ５のＹ）、ステップＳ６において締め処理が実行され、売上メモリに記憶される。この締め処理が実行されると、商品販売データ処理は終了する。
【００２３】
図５は、締め処理の流れを示すフローチャートである。次に、図５に基づいて、締め処理について説明する。
【００２４】
締めキーである預／現計キーが押下されると（Ｓ５）、売上メモリに記憶された売上データやこの売上データに基づいて算出される消費税額、売上合計金額等で構成される印字データが生成されて印字バッファに記憶される（Ｓ６−１）。この印字データは、プリンタ６ａによってレシートに印字され、レシート発行口６から発行される（Ｓ６−２）。
【００２５】
また、売上メモリに記憶された売上データ等は、例えば、売上金額、商品ごとの売上数量、買上客数等の算出にも供され、その算出結果は、ＨＤＤ１４の売上ファイルに記憶される（Ｓ６−３）。
【００２６】
そして、その後、ドロワ装置２０に引出し２１を開放するようにドロワ開放信号が出力され（Ｓ６−４）、これに応じて引出し２１が開放される。
【００２７】
図６は、キーボード３に設けられているキーに一定の役割を割り付けるための設定手順の流れを表わしたフローチャートである。
【００２８】
操作者は操作者用表示器４に表示される文字等を見ながらキーに役割を割り付けていくことになる。まず、ＥＣＲ１を設定モードの状態にし、設定手順をスタートさせる。ＥＣＲ１においては様々な設定項目があるが、その項目の中から「部門の設定」という項目を選択する（Ｓ１１）。キーには予め役割が設定されているキーと初めは何の役割も設定されておらず、ＥＣＲ１の使用者が任意に役割を割り付けることができるキーとが存在している。いずれのキーの場合も操作者が役割を割り付けるキーを選択し、その都度役割を割り付けてゆく。詳しくは、ＥＣＲの機種ごとに設定方法が相違することから、ここでは単にキーに対する役割の設定としておく（Ｓ１２）。キーの役割設定がなされると、設定登録が行われ、設定内容はＲＡＭ１１ｄに登録される（Ｓ１３）。これにより、当該キーに操作者が意図した役割が設定されることになる。
【００２９】
キーに役割が割り付けられると、割り付けた役割をキーステッカー３ｂ−２として印字するか否かを選択する（Ｓ１４）。操作者用表示器４の表示項目の中に例えば、「キーステッカーの印字」といった項目が設けられており、当該項目を選択することで印字作業に入る（Ｓ１４のＹ）。印字を必要としない場合には（Ｓ１４のＮ）、設定作業は終了する。キーステッカーを印字することを選択した場合には（Ｓ１４のＹ）、個別に印字するか否かを選択する（Ｓ１５）。この個別印字というのは、操作者が役割を割り付けたキーのうち、印字するキーを選択して個別にキーステッカーを印字することをいう。個別に印字することを選択しない場合には（Ｓ１５のＮ）、この設定作業において役割を割り付けたキーの全てについて一括して印字することになる（Ｓ２１）。
【００３０】
個別印字を行う場合には（Ｓ１５のＹ）、次にキーの大きさを選択する（Ｓ１６）。キーの大きさには２種類の大きさがあり、図１に示すようなそれぞれ一連キー３ａ、二連キー３ｂである。これは操作者の使用形態等に応じて、例えば、今まで一連キーに割り付けていた役割を二連キーに改めて割り付ける等、いずれかの大きさを選択することができるものである。もしキーの大きさを選択する場合には（Ｓ１６のＹ）、一連キーの大きさでキーステッカーを印字するのか（Ｓ１８のＹ）、或いは二連キーの大きさで印字するのか（Ｓ１８のＮ）を選択し、それぞれ選択した大きさでキーステッカーを印字する（Ｓ１９、Ｓ２０）。なお、今までと変わらない大きさのキーに役割を割り付けたような場合には、既に登録されているキーの大きさでキーステッカーを印字することになる（Ｓ１７）。
【００３１】
一方、個別印字を選択しなかった場合には、設定を行ったキーステッカーの全てを一括して印字する（Ｓ２１）。この場合、印字するキーステッカーの大きさをキーの大きさに合わせて変更することもできる（Ｓ２２）。変更をする場合には（Ｓ２２のＹ）、キーの大きさを設定した上で（Ｓ２３）印字を行う（Ｓ２４）。特にキーステッカーの大きさを変更しない場合は（Ｓ２５）、そのまま印字が行われる。
【００３２】
以上でキーに一定の役割を割り付けるための設定手順が終了する。
【００３３】
図７は、一連キーに割り付けた役割をレシート用紙に印字した様子を示す模式図である。図８は、二連キーに割り付けた役割をレシート用紙に印字した様子を示す模式図である。
【００３４】
本発明においては、ＥＣＲ１に搭載されているレシートプリンタ６ａでレシート用紙４０を利用してキーステッカー３ｂ−２を印字している。レシート用紙４０の上端及び下端に印字を行なった日付や時間等が印字されるのは、キーステッカー３ｂ−２の印刷を既存のレシート印字機能を利用して行なっているからである。以下、レシート用紙４０に記載されている項目について説明をする。
【００３５】
「キーステッカー印字」と印字されている表題４１の下部に２列に渡って４つの角を表わすことで略四角形に表わされた枠が示されている。この枠はキーの大きさに合わせて設けられているので、この枠に沿って切断すれば、そのままキーステッカー３ｂ−２として使用することができる。以下、２列に示されている枠のうち最上段の枠を例に説明する。
【００３６】
枠４２はレシート用紙４０に左右２つ印字されている。左側に印字されている左枠４２ａは、役割を割り付ける前のキーステッカーを示している。左枠４２ａの中に記載されている番号、例えば、この場合は「１」であるが、この番号はキーの位置を特定するものである。すなわち、番号のみが付与されているキーには、何の役割も割り付けられていないことを示している。なお、このキー位置を表わす番号は、例えば「○行目○列目」というようにより具体的にその位置をレシート用紙４０の左枠４２ａに記載してもよい。
【００３７】
右側に印字されている右枠４２ｂは、左枠４２ａで示されていたキーに役割を割り付けた後のキーステッカーを示している。右枠４２ｂには、上下二段に分けて２つの異なる役割が割り付けられている。この場合上段の役割４２ｃとしては「菓子類」という名称が割り付けられており、下段の役割４２ｄとしては「→」として右矢印という機能が割り付けられている。本発明の実施例の場合、下段の役割４２ｄに割り付けられた役割については、上段の役割４２ｃに割り付けられた役割と混同しないように、網掛けされた領域の中に役割が記載されている。
【００３８】
この役割の割付は、上下二段にわたって必ず行なわなければならないというものではなく、例えば、図７のレシート用紙４０に印字されている枠４２の二段下の枠にも示されているように、上段に「野菜」という名称を割り付けたが、下段には何の役割も割り付けていない。
【００３９】
図７では、一連キーに役割を割り付けた場合を示しているが、図８では二連キーに役割を割り付けた場合示している。なお、枠内の記載事項については一連キーの場合と同様であることから説明は省略する。
【００４０】
二連キーの横幅は一連キーよりも広いことから、レシート用紙５０の横幅に入らないので、図８に示すように、この場合は役割を割り付ける前のキーステッカー５１ａを上部に、割り付けた後のキーステッカー５１ｂを下部に配置して印字する。
【００４１】
なお、上述した実施例では印字された文字の色やレシート用紙の色については特に言及せず、文字の色は黒色、レシート用紙の色は白色と想定していたが、その他に文字の色をカラーにしたり、或いはカラーのレシート用紙を使用することも可能である。
【図面の簡単な説明】
【００４２】
【図１】本発明の実施形態のＥＣＲを含む商品販売データ処理システム全体を示した概略斜視図である。
【図２】二連キーの分解斜視図である。
【図３】ＥＣＲに備えられる各部の電気的接続を示すブロック図である。
【図４】ＥＣＲの制御部が実行する商品販売データ処理を概略的に示すフローチャートである。
【図５】締め処理の流れを示すフローチャートである。
【図６】キーボードに設けられているキーに一定の役割を割り付けるための設定手順の流れを表わしたフローチャートである。
【図７】一連キーに割り付けた役割をレシート用紙に印字した様子を示す模式図である。
【図８】二連キーに割り付けた役割をレシート用紙に印字した様子を示す模式図である。
【符号の説明】
【００４３】
４０…レシート用紙、４２…枠、４２ａ…左枠、４２ｂ…右枠、４２ｃ…上段、４２ｄ…下段
【図１】
2006127187.tif 000003
【図２】
2006127187.tif 000004
【図３】
2006127187.tif 000005
【図４】
2006127187.tif 000006
【図５】
2006127187.tif 000007
【図６】
2006127187.tif 000008
【図７】
2006127187.tif 000009
【図８】
2006127187.tif 000010